(57)【要約】【課題】  濾過装置の洗浄を少量の水で行うことができ、経済上、水の有効利用の点から好ましい浄化装置を提供する。【解決手段】  懸濁水に含まれる懸濁物質を濾過する濾材が設けられた濾過装置Ｂを備え、濾過装置Ｂの上部から懸濁水を導入し、濾過装置Ｂの下部から導出することにより、懸濁水を浄化し、かつ濾過装置Ｂの下部から洗浄水を導入し、濾過装置Ｂの上部から導出することにより、前記濾過装置Ｂの濾材を洗浄する浄化装置において、前記濾過装置Ｂの上部から導出された洗浄水に含まれる、濾材から離脱した懸濁物質を除去するフィルタ装置Ｄを設け、前記フィルタ装置Ｄを通過した洗浄水を濾過装置Ｂの下部に再び導入することによって、濾過装置内の濾材を洗浄する。【選択図】      図１
2005074379.tif 000002
【特許請求の範囲】
【請求項１】
懸濁水に含まれる懸濁物質を濾過する濾材が設けられた濾過装置を備え、濾過装置の上部から懸濁水を導入し、濾過装置の下部から導出することにより、懸濁水を浄化し、かつ濾過装置の下部から洗浄水を導入し、濾過装置の上部から導出することにより、前記濾過装置の濾材を洗浄する浄化装置において、
前記濾過装置の上部から導出された洗浄水に含まれる、濾材から離脱した懸濁物質を除去するフィルタ装置を設け、前記フィルタ装置を通過した洗浄水を濾過装置の下部に再び導入することによって、濾過装置内の濾材を洗浄することを特徴とする浄化装置。
【請求項２】
懸濁水が貯留された貯留部から懸濁水が導出される導出管と、前記導出管が接続された五方弁と、前記五方弁に一端が接続されると共に濾過装置の上部に他端が接続される配管と、前記五方弁に一端が接続されると共に濾過装置の下部に他端が接続される配管と、前記五方弁に一端が接続され、他端が貯水部に接続され、浄化された水を貯水部に導入する導入管と、前記五方弁に一端が接続されると共に他端がフィルタ装置に接続される配管と、前記フィルタ装置に一端が接続され、他端が前記導出管に接続される配管を備えていることを特徴とする請求項１に記載された浄化装置。  
【請求項３】
前記フィルタ装置には排水管が設けられ、前記排水管から濾材の洗浄後の洗浄水を排水することを特徴とする請求項１または請求項２に記載された浄化装置。
【請求項４】
前記洗浄水として、少なくとも濾過装置内の水が用いられることを特徴とする請求項１乃至請求項３のいずれかに記載された浄化装置。
【発明の詳細な説明】
【技術分野】
【０００１】
本発明は、浄化装置に関し、例えば、風呂水、プール用水、海水、池水などにおける微生物、有機物および無機物などの懸濁物質を除去、浄化する家庭用もしくは業務用の浄化装置に関する。 
【背景技術】
【０００２】
従来から、風呂水、プール用水、海水、池水などにおける微生物、有機物および無機物などの懸濁物質を除去、浄化するために、浄化装置が用いられている。特に、風呂水、プール用水は、省エネルギーの観点から、浄化装置を介して懸濁物質を除去し、水を浄化することにより、繰り返し使用している。
この浄化装置は濾過装置を備え、この濾過装置によって、前記した微生物、有機物および無機などの懸濁物質を除去している。前記濾過装置としては、緩速濾過装置と急速濾過装置が一般的に用いられているが、特に、風呂水、プール用水等の洗浄を行う場合には、急速濾過装置を備えた浄化装置が用いられている。この急速濾過装置は、微生物、有機物および無機物などの懸濁物質を捕捉するために、細孔を有する濾材が用いられている。
【０００３】
このため、浄化を開始すると、濾材の表面にフロック（微生物、有機物および無機などの懸濁物質等の微粒子が結合した集合体）が徐々に形成され、濾材の捕捉の能力が徐々に低下する。そして、最終的に、前記フロックを捕捉できなくなり、キャリーオーバー（漏洩）するようになる。
【０００４】
かかる問題を防止するために、フロックが濾材に溜まった段階で、濾材に対して逆方向から水を流す（浄化方向とは逆方向に水を流す）ことにより汚れ（フロック）を濾材から離脱させ、濾過装置外に排出する洗浄が行われている。
【０００５】
次に、図３及び図４に基づいて、従来の浄化装置を風呂水に適用した場合について、濾過装置の洗浄を含めて説明する。なお、図３は、従来の浄化装置の概略構成図、図４は濾過装置の構成を示す図である。
図３に示すように、浴槽Ａには、風呂水Ｗを排水する導出管５０と、風呂水Ｗを導入する導入管５１が接続されている。前記導出管５０は、弁５２、へアーキャッチ装置５３、ポンプ５４、弁５５を介して五方弁５６に接続されている。前記ヘアーキャッチ装置５３は、風呂水Ｗ中に混入した髪の毛を除去する装置である。また、前記五方弁５６には、弁５７が設けられた前記導入管５１が接続されている。
【０００６】
また、濾過装置Ｂの上端部には、配管５８が接続され、この配管５８の他端は五方弁５６に接続されている。
一方、前記濾過装置Ｂの下端部には配管５９が接続され、この配管５９の他端は五方弁５６に接続されている。また、この濾過装置Ｂの下端部には排水管６０が接続され、弁６１を開放することにより、濾過装置Ｂ内の風呂水Ｗを排水できるように構成されている。
また、前記五方弁５６には、洗浄水を排水する排水管６２が接続されている。この排水管６２には、弁６３が設けられている。
【０００７】
また、薬液注入装置Ｃにはポンプ７０を介して薬液管７１が接続され、この薬液管７１の他端は、導出管５０に接続されている。なお、図中の符号６４は、ポンプの動作、弁の開閉制御を行う制御装置である。
【０００８】
次に、この浄化装置の動作について説明する。説明にあたっては、風呂水Ｗを浄化する場合と、濾過装置Ｂの洗浄を行う場合に分けて説明する。
まず、風呂水Ｗを浄化する場合には、ポンプ５４を駆動し、導出管５０から浴槽Ａの風呂水Ｗを導き出し、弁５２、へアーキャッチ装置５３、ポンプ５４、弁５５、五方弁５６を介して、濾過装置Ｂの上部に設けられた配管５８から濾過装置Ｂ内に導入する。なお、この導出管５０を通過する風呂水Ｗに対して、ポンプ７０を駆動することにより、適宜、塩素等の薬液が導入される。
【０００９】
前記濾過装置Ｂに導入された風呂水Ｗは、図示しない濾材によって微生物、有機物および無機などの懸濁物質（フロック）が除去され、濾過される。そして、濾過された風呂水Ｗは、濾過装置Ｂの下部から導出され、配管５９、五方弁５６を介して、導入管５１によって浴槽Ａに導入される。尚、このとき、弁６３、弁６１は閉じられている。
【００１０】
次に、濾過装置Ｂの洗浄を行う場合について説明する。
濾過装置の洗浄を行う場合には、まずポンプ５４を駆動し、導出管５０から浴槽Ａの風呂水Ｗを導き出し、弁５２、ヘアーキャッチ装置５３、ポンプ５４、弁５５、五方弁５６、配管５９を経由して、濾過装置Ｂの下部から濾過装置Ｂ内に、風呂水Ｗ（洗浄水）を導入する。
【００１１】
前記濾過装置Ｂに導入された風呂水Ｗ（洗浄水）は、濾材から微生物、有機物および無機などの懸濁物質（フロック）を脱落させ、風呂水Ｗ（洗浄水）と共に濾過装置Ｂの上部から排出する。
この洗浄後の排水は、配管５８、五方弁５６、排水管６２、弁６３を経由して、排水路等に排水される。
【００１２】
このように、従来の洗浄装置にあっては、濾過装置Ｂの濾材にフロックが溜まった段階で、濾材に対して、風呂水Ｗを浄化する場合に流す方向と逆の方向、即ち、濾過装置Ｂの下部から上部に向けて風呂水Ｗ（洗浄水）を流すことにより、フロック（汚れ）を濾材から離脱させ、濾材を洗浄することが行われている。
その結果、濾材は洗浄され、捕捉の能力が回復し、風呂水Ｗの浄化を良好に行うことができる。
【発明の開示】
【発明が解決しようとする課題】
【００１３】
ところで、前記した従来の浄化装置にあっては、浴槽Ａから導出された風呂水Ｗが洗浄に用いられ、濾過装置Ｂ（濾材）を洗浄した風呂水Ｗは排水されていた。即ち、風呂水が清潔で使用可能な状態である場合であっても、 濾過装置（濾材）を洗浄するため、多量の風呂水Ｗが廃棄されていた。
このように、多量に風呂水Ｗを廃棄することは、コストが嵩むばかりでなく、水の有効利用の点からも好ましいものでなかった。
【００１４】
本発明は上記課題を解決するものであり、濾過装置の洗浄を少量の水で行うことができ、経済上、水の有効利用の点から好ましい浄化装置を提供することを目的とするものである。
【課題を解決するための手段】
【００１５】
上記目的を達成するためになされた本発明にかかる浄化装置は、懸濁水に含まれる懸濁物質を濾過する濾材が設けられた濾過装置を備え、濾過装置の上部から懸濁水を導入し、濾過装置の下部から導出することにより、懸濁水を浄化し、かつ濾過装置の下部から洗浄水を導入し、濾過装置の上部から導出することにより、前記濾過装置の濾材を洗浄する浄化装置において、前記濾過装置の上部から導出された洗浄水に含まれる、濾材から離脱した懸濁物質を除去するフィルタ装置を設け、前記フィルタ装置を通過した洗浄水を濾過装置の下部に再び導入することによって、濾過装置内の濾材を洗浄することを特徴としている。
【００１６】
このように、フィルタ装置を設け、濾材を洗浄した洗浄水に含まれる懸濁物質を除去する。そして、前記フィルタ装置を通過した洗浄水を濾過装置に下部に再び導入することによって、濾過装置内の濾材を洗浄する。
したがって、洗浄水を繰り返し使用することができ、濾材の濾過装置の洗浄を少量の水で行うことができる。
【００１７】
ここで、懸濁水が貯留された貯留部から懸濁水が導出される導出管と、前記導出管が接続された五方弁と、前記五方弁に一端が接続されると共に濾過装置の上部に他端が接続される配管と、前記五方弁に一端が接続されると共に濾過装置の下部に他端が接続される配管と、前記五方弁に一端が接続され、他端が貯水部に接続され、浄化された水を貯水部に導入する導入管と、前記五方弁に一端が接続されると共に他端がフィルタ装置に接続される配管と、前記フィルタ装置に一端が接続され、他端が前記導出管に接続される配管を備えていることが望ましい。
このように、五方弁に各管が接続されているため、五方弁を切り換えることにより、濾材を洗浄した洗浄水を、前記フィルタ装置に搬送することができる。そして、フィルタ装置を通過した洗浄水を、再び濾過装置に下部に洗浄水として導入することができる。
【００１８】
また、前記フィルタ装置には排水管が設けられ、前記排水管から濾材の洗浄後の洗浄水を排水することが望ましく、洗浄に用いた洗浄水は、容易に排水することができる。
更に、水の有効利用の観点から、前記洗浄水として、少なくとも濾過装置内の水が用いられることが望ましい。
【発明の効果】
【００１９】
本発明によれば、濾過装置の洗浄を少量の水で行うことができ、経済上、水の有効利用の点から好ましい浄化装置を得ることができる。
【発明を実施するための最良の形態】
【００２０】
以下、本発明の一実施形態を、風呂水に適用した場合について、図１及び図２に基づいて説明する。なお、図１は、本発明にかかる浄化装置の概略構成図、図４は図１に示した濾過装置の構成を示す図である。
従来の場合と同様に、浴槽Ａには、風呂水Ｗを排水する導出管１０と、風呂水Ｗを導入する導入管１１が接続されている。前記導出管１０は、弁１２、へアーキャッチ装置１３、ポンプ１４、弁１５を介して五方弁１６に接続されている。前記ヘアーキャッチ装置１３は、風呂水中に混入した髪の毛を除去する装置である。また、前記五方弁１６には、弁１７が設けられた導入管１１が接続されている。
【００２１】
また、濾過装置Ｂの上端部には、配管１８が接続され、この配管１８の他端は五方弁１６に接続されている。
一方、この濾過装置Ｂの下端部には配管１９が接続され、この配管１９の他端は五方弁１６に接続されている。また、この濾過装置Ｂの下端部には排水管２０が接続され、弁２１を開放することにより、濾過装置Ｂ内の風呂水Ｗを排水できるように構成されている。
【００２２】
また、前記五方弁１６には、濾材を洗浄した風呂水Ｗ（洗浄水）をフィルタ装置Ｄに導入する配管２２が接続されている。この配管２２には、弁２３が設けられている。このフィルタ装置Ｄには戻り配管２５が接続され、この戻り配管２５は弁２６を介して、導出管１０に接続されている。なお、前記このフィルタ装置Ｄには、排水管２７が接続されている。
【００２３】
この浄化装置は、濾材を洗浄した風呂水Ｗ（洗浄水）をフィルタ装置Ｄに導入し、再び、洗浄水として用いる点に特徴がある。即ち、図４に示された従来の浄化装置にあっては、濾材を洗浄した風呂水Ｗ（洗浄水）は配管６２から排水、廃棄していたが、本発明にかかる浄化装置にあっては濾材を洗浄した洗浄水をフィルタ装置Ｄに導入し、浄化し、再び、導出管１０に戻し、洗浄水として用いる点に構成上の特徴がある。
【００２４】
また、薬液注入装置Ｃにはポンプ２８を介して薬液管２９が接続され、この薬液管２９の他端は、導出管１０に接続されている。なお、図中の符号２４は、ポンプの動作、弁の開閉制御を行う制御装置である。
【００２５】
次に、この浄化装置の動作について説明する。
まず、風呂水Ｗを浄化する場合は、従来の浄化装置と同様に、ポンプ１４を駆動し、導出管１０から浴槽Ａの風呂水Ｗを導き出し、弁１２、へアーキャッチ装置１３、ポンプ１４、弁１５、五方弁１６を介して、濾過装置Ｂの上部に設けられた配管１８から濾過装置Ｂ内に導入する。なお、この導出管１０を通過する風呂水Ｗに対して、ポンプ２８を駆動することにより、適宜、塩素等の薬液が導入される。なお、浄化の際、弁２３、弁２１、弁２６は閉じられている。
【００２６】
前記濾過装置Ｂに導入された風呂水Ｗは、図示しない濾材によって微生物、有機物および無機などの懸濁物質（フロック）が除去され、濾過される。そして、濾過された風呂水Ｗは、濾過装置Ｂの下部から導出され、配管１９、五方弁１６、弁１７を介して、導入管１１によって浴槽Ａに導入される。
【００２７】
次に、濾過装置Ｂの洗浄を行う場合について説明する。
濾過装置の洗浄を行う場合には、まず弁１２を閉じ、弁２６を開く。尚、弁１５、弁２３は開き、弁１７、弁２１は閉じる。
そして、ポンプ５４を駆動すると、導出管１０、濾過装置Ｂ内にある風呂水Ｗは、ポンプ１４、弁１５、五方弁１６を介して、配管１９を経由して、濾過装置Ｂの下部から濾過装置Ｂ内に導入される。
【００２８】
前記濾過装置Ｂに導入された風呂水Ｗ（洗浄水）は、濾材から微生物、有機物および無機などの懸濁物質（フロック）を脱落させ、濾過装置Ｂの上部から排出される。
この洗浄後の洗浄水は、配管１８、五方弁１６、弁２３、配管２２を経由して、フィルタ装置Ｄに導入される。
そして、フィルタ装置Ｄに導入された風呂水（洗浄水）は、このフィルタ装置Ｄによって浄化され、戻り管２５によって、再び、導出管１０に戻され、洗浄水として用いられ、これが繰り返される。
【００２９】
このように、濾過装置の下部から上部に向けて風呂水（洗浄水）を流し、フロック（汚れ）を濾材から離脱させることにより、濾材の洗浄が行われる。
即ち、上記したように洗浄水（風呂水Ｗ）が、導出管１０、濾過装置Ｂ、配管２２、フィルタ装置Ｄ、戻り管２５、導出管１０によって構成された循環路中を移動し、濾材から微生物、有機物および無機などの懸濁物質（フロック）を除去する。また一方において、前記洗浄水（風呂水Ｗ）に含まれる懸濁物質（フロック）は、フィルタ装置Ｄによって除去される。そして、フィルタ装置Ｄによって浄化された洗浄水（風呂水Ｗ）は、戻り管２５によって、再び、導出管１０に戻され、洗浄水として用いられ、これが繰り返される。
【００３０】
そして、濾過装置Ｂの洗浄が終了した場合には、導出管１０、濾過装置Ｂ、配管２２、フィルタ装置Ｄ、戻り管２５、導出管１０によって構成された循環路中の洗浄水を、排水管２７から排水、廃棄する。
なお、前記フィルタ装置Ｄは、フィルタ自体を交換することにより、捕捉したフロックを取り除くことができる。
【００３１】
以上のように、本発明にかかる浄化装置にあっては、濾材の洗浄が行なわれるため、長期にわたって安定した浄化性能を持続することができ、しかも、少量の風呂水（洗浄水）をフィルタ装置で浄化しながら使用するため、水の有効利用を図ることができると共に、洗浄のためのコストの低減を図ることができる。
【産業上の利用可能性】
【００３２】
上記実施形態にあっては、浴槽（風呂水）の浄化装置を例にとって説明したが、本発明は特にこれに限定されものではなく、例えば、プール用水、海水、池水などの浄化装置に適用することができ、家庭用、業務用のいずれの浄化装置に適用することができる。 
【図面の簡単な説明】
【００３３】
【図１】本発明の一実施形態を示す水浄化装置の概略構成図である。
【図２】図２は図１に示した濾過装置の拡大概略構成図である。
【図３】従来の浄化装置の概略構成図である。
【図４】図４は図３に示した濾過装置の拡大概略構成図である。
【符号の説明】
【００３４】
Ａ      浴槽
Ｂ      濾過装置
Ｃ      薬液注入装置
Ｄ      フィルタ装置
Ｗ      風呂水
１０    導出管
１１    導入管
１２    弁
１３    ヘアーキャッチ装置
１４    ホンプ
１６    五方弁
１７    弁
１８    配管
１９    配管
２０    排水管
２１    弁
２２    配管
２３    弁
２４    制御装置
２５    戻り弁
２６    弁
２７    排水管
２８    ポンプ
２９    薬液管
【図１】
2005074379.tif 000003
【図２】
2005074379.tif 000004
【図３】
2005074379.tif 000005
【図４】
2005074379.tif 000006